(57)【要約】【課題】不正開封防止構成を備えた包装箱を提供する。【解決手段】第一側面部１１と第二側面部１２とを側端同士で連結して筒状体を形成し、該筒状体の上方開口部を蓋部で塞ぐ包装体において、第一側面部１１に折り返し部４１を介して連結した第一蓋面部２１の自由端の両端部近傍に爪部２１ａ，２１ｂを形成し、第二側面部１２の上端の両端部に凸部１２ａ，１２ｂを形成し、第一蓋面部２１を閉じた状態で、爪部２１ａ，２１ｂが、凸部１２ａ，１２ｂに接して、第二側面部１２と第二蓋面部２２との連結箇所と凸部１２ａ，１２ｂとの間から突出するよう構成する。【選択図】図３
2020179905.tif 000002
【特許請求の範囲】
【請求項１】
シート材から形成され、筒状体を形成する少なくとも第一側面部及び第二側面部と、前記筒状体の下方の開口部を塞ぐ底面部と、前記筒状体の上方の開口部を塞ぐ蓋面部と、を備え、
前記第一側面部の上端が前記第二側面部の上端よりも上方に突出している包装箱であって、
前記蓋面部として、第一蓋面部と第二蓋面部とを有し、
前記第一蓋面部は、折り返し部を介して前記第一側面部の上端に連結され、自由端側の少なくとも一方の端部近傍に前記自由端より突出する爪部を有し、
前記第二側面部は、上端の前記爪部に対応する側の端部に上方に突出する凸部を有し、
前記第二蓋面部は、前記第二側面部の上端に、前記凸部から所定の間隙を置いて連結され、且つ、自由端側に差し込み片を有し、
前記第一蓋面部と前記折り返し部との境界は、前記差し込み片を差し込んで係止する差し込み部を有し、
前記折り返し部を前記第一側面部の上端より折り返して前記第一側面部に重ね、前記第一蓋面部で前記筒状体の上方の開口部を覆った際に、前記第二側面部の上端の前記第二蓋面部との連結箇所と前記凸部との間に、前記爪部が前記凸部に接して前記第二側面部の上端よりも外側に突出することを特徴とする包装箱。
【請求項２】
前記第二側面部の前記凸部を有する側の側端に切り取り線を有していることを特徴とする請求項１に記載の包装箱。
【請求項３】
前記切り取り線が形成された側の側端において、前記第二側面部に糊代部が連結され、前記糊代部の上端は、前記糊代部側の前記凸部の上端よりも下方に位置しており、前記糊代部と前記第二側面部との境界に、前記切り取り線を有することを特徴とする請求項２に記載の包装箱。
【請求項４】
前記第二側面部と前記第二蓋面部との境界と、前記第二側面部と前記底面部との境界と、に切り取り線を有していることを特徴とする請求項２又は３に記載の包装箱。
【請求項５】
前記切り取り線は、前記シート材を断続的に切断した切断線、ハーフカット、ミシン目のいずれかである請求項２乃至４のいずれか一項に記載の包装箱。
【請求項６】
前記第一側面部及び前記第二側面部の少なくとも一方に、印刷表示を有することを特徴とする請求項２乃至５のいずれか一個に記載の包装箱。
【請求項７】
前記筒状体は前記第一側面部と前記第二側面部とが側端同士で連結されてなり、前記第一側面部と前記第二側面部とが対向する方向において、前記第一側面部と前記第二側面部との距離が最大となる位置における前記第二側面部の位置よりも、前記爪部の先端が前記第一側面部側に位置していることを特徴とする請求項１乃至６のいずれか一項に記載の包装箱。
【発明の詳細な説明】
【技術分野】
【０００１】
本発明は、小型の物品の包装に用いられる包装箱に関する。
【背景技術】
【０００２】
従来、小型で軽量の物品の包装に用いられる包装箱において、容易に被包装物が抜き取られないように、一旦開封した場合には、開封前の包装状態に戻すことができず、開封されたことが容易に認識され得る不正開封防止構成を備えた包装箱が知られている。例えば、特許文献１には、背面板と正面板とを側端同士で連結し、該背面板と正面板とを外側に湾曲させることで筒状の空間を形成し、さらに、販売時に吊り下げて陳列されるように、背面板の上端を正面板よりも高く突出させた包装箱において、背面板の上端から折り返して背面板に重なるカバー部と該背面板との間に、正面板の上端に蓋部を介して連結された支持部が挟持され、カバー部の先端に設けた凹部の両端が蓋部の先端に係止して、カバー部と蓋部とが互いに係止される構成が開示されている。
【先行技術文献】
【特許文献】
【０００３】
【特許文献１】特開２０１９−１１０７０号公報
【発明の概要】
【発明が解決しようとする課題】
【０００４】
特許文献１に開示された包装箱においては、包装時に蓋部を背面板に係止する手段がないため、蓋部を指で抑えた状態でカバー部を重ねて係止する必要があり、作業が煩雑であり、また、蓋部を包装箱内に押し込んでしまうおそれがある。また、包装時にカバー部を閉じる際に、凹部の両端の先端が蓋部の上面を擦って包装箱の外観を損ねてしまうおそれもある。
【０００５】
本発明の課題は、上記問題を解決し、筒状体の開口部を底面部と蓋部とで塞ぎ、さらに、吊り下げて陳列するために、一方の部材の上端を突出させた包装箱において、不正開封防止構成を備え、さらに、包装時の作業性に優れ、包装時に包装箱の外観を損ねるおそれのない構成を提供することにある。
【課題を解決するための手段】
【０００６】
本発明は、シート材から形成され、筒状体を形成する少なくとも第一側面部及び第二側面部と、前記筒状体の下方の開口部を塞ぐ底面部と、前記筒状体の上方の開口部を塞ぐ蓋面部と、を備え、
前記第一側面部の上端が前記第二側面部の上端よりも上方に突出している包装箱であって、
前記蓋面部として、第一蓋面部と第二蓋面部とを有し、
前記第一蓋面部は、折り返し部を介して前記第一側面部の上端に連結され、自由端側の少なくとも一方の端部近傍に前記自由端より突出する爪部を有し、
前記第二側面部は、上端の前記爪部に対応する側の端部に上方に突出する凸部を有し、
前記第二蓋面部は、前記第二側面部の上端に、前記凸部から所定の間隙を置いて連結され、且つ、自由端側に差し込み片を有し、
前記第一蓋面部と前記折り返し部との境界は、前記差し込み片を差し込んで係止する差し込み部を有し、
前記折り返し部を前記第一側面部の上端より折り返して前記第一側面部に重ね、前記第一蓋面部で前記筒状体の上方の開口部を覆った際に、前記第二側面部の上端の前記第二蓋面部との連結箇所と前記凸部との間に、前記爪部が前記凸部に接して前記第二側面部の上端よりも外側に突出することを特徴とする。
【０００７】
本発明の包装箱においては、以下の構成を好ましい態様として含む。
（１）前記第二側面部の前記凸部を有する側の側端に切り取り線を有している。
（２）上記（１）において、前記切り取り線が形成された側の側端において、前記第二側面部に糊代部が連結され、前記糊代部の上端は、前記糊代部側の前記凸部の上端よりも下方に位置しており、前記糊代部と前記第二側面部との境界に、前記切り取り線を有する。
（３）上記（１）又は（２）において、前記第二側面部と前記第二蓋面部との境界と、前記第二側面部と前記底面部との境界と、に切り取り線を有している。
（４）上記（１）〜（３）のいずれかにおいて、前記切り取り線は、前記シート材を断続的に切断した切断線、ハーフカット、ミシン目のいずれかである。
（５）前記第一側面部及び前記第二側面部の少なくとも一方に、印刷表示を有する。
（６）前記筒状体は前記第一側面部と前記第二側面部とが側端同士で連結されてなり、前記第一側面部と前記第二側面部とが対向する方向において、前記第一側面部と前記第二側面部との距離が最大となる位置における前記第二側面部の位置よりも、前記爪部の先端が前記第一側面部側に位置している。
【発明の効果】
【０００８】
本発明においては、第一蓋面部で筒状体の上方の開口部を覆った際に、第一蓋面部に設けた爪部が、第二側面部上端の凸部に接して第二側面部の上端よりも外側に突出するため、爪部と凸部との間の摩擦力によって、応力を受けても第二蓋面部が浮き上がって開くおそれがない。また、爪部が第二側面部の上端にのることにより、第一蓋面部が筒状体内に落ち込むおそれがない。よって、第二蓋面部を閉じる際に、第一蓋面部を筒状体内に落とし込むおそれがなく、また、第一蓋面部が開かないように抑える必要がなく、作業性が良い。また、第一蓋面部や第二蓋面部を閉じる際に、爪部や凸部が他の部材の表面を擦ることがないため、外観を損ねるおそれもない。
【０００９】
また、本発明においては、第一蓋面部を第二蓋面部が覆って差し込み片が差し込み部に差し込まれて係止されるため、筒状体の開口部が二重に覆われ、不正開封防止効果が高まる。
【００１０】
さらに、本発明においては、第二側面部の一方の側端に切り取り線を形成しておくことで、第二側面部の上端に設けた凸部をつまんで係る切り取り線に沿って引き裂くことで、容易に開封することができる。
【図面の簡単な説明】
【００１１】
【図１】本発明の包装箱の一実施形態の展開図である。
【図２】図１の包装箱の第一蓋面部及び第二蓋面部を開いた状態を示す斜視図である。
【図３】図１の包装箱の第一蓋面部を閉じ、第二蓋面部を開いた状態を示す斜視図である。
【図４】図１の包装箱の第一蓋面部及び第二蓋面部を閉じた状態を示す斜視図である。
【図５】図３及び図４の状態を上方から見た平面図である。
【図６】図１の包装箱の底面部の斜視図である。
【図７】図１の包装箱の下端側の部分断面模式図である。
【発明を実施するための形態】
【００１２】
以下、図面を参照して本発明の実施形態を説明するが、本発明は下記実施形態に限定されない。また、以下に参照する図面において、同じ符号は同様の構成要素を示す。
【００１３】
図１は、本発明の包装箱の一実施形態の展開図であり、図中、第一側面部１１と第二側面部１２との境界を示す破線、第一側面部１１と折り返し部４１との境界を示す破線、第二蓋面部２２と差し込み片２２ａとの境界を示す破線、折り返し部４１と第一蓋面部２１との境界を示す破線は折り曲げ線である。また、図２は、図１の展開図から包装箱を成形し、第一蓋面部２１と第二蓋面部２２とを開いた状態を示す斜視図である。
【００１４】
本発明の包装箱は厚さの薄いシート材から形成され、係るシート材としては、紙、可撓性を有する硬質の合成樹脂シート、或いは紙の表面（包装箱の外側）に樹脂フィルムをコーティングしたものが好ましく用いられる。
【００１５】
図１に示すように、本発明の包装箱は、第一側面部１１と第二側面部１２とを有しており、第一側面部１１の上端は第二側面部１２の上端よりも突出部１１ｂの高さ分、上方に突出している。
【００１６】
本実施形態においては、第一側面部１１と第二側面部１２とがそれぞれの側端同士が互いに連結されることで筒状体を形成しており、本実施形態においては、第一側面部１１の一方の側端と第二側面部１２の一方の側端とが連続し、第二側面部１２の他方の側端に連結された糊代部１３を第一側面部１１の他方の側端側に貼付することで、第一側面部１１と第二側面部１２とはそれぞれの両側端において連結される。この状態から、第一側面部１１と第二側面部１２とをそれぞれ水平方向中央部が外側に向けて突出するように引き離すと、水平方向断面において両端が鋭角の略楕円形状の筒状体が形成される。この時、第一側面部１１及び第二側面部１２の下端から上方に延びる破線部分で第一側面部１１及び第二側面部１２の下端側を適宜折り曲げることで、筒状体の下端側の開口部を容易に形成することができる。
【００１７】
尚、本実施形態では、第一側面部１１と第二側面部１２を側端同士で連結し、第一側面部１１と第二側面部１２のみで筒状体を形成しているが、本発明においては、係る形態に限定されない。例えば、第一側面部１１と第二側面部１２とを所定の間隙を介して対向配置し、それぞれの側端同士を別途用意した側面部で連結し、水平方向断面が四角形以上の多角筒状や、第一側面部１１と第二側面部１２とを外側に凸の湾曲した側面で連結した筒状体なども含む。また、第一側面部１１と第二側面部１２のうち一方の幅を他方の幅よりも長くして、一方のみ外側に湾曲し、他方は平板な形状の筒状体であってもよい。
【００１８】
次いで、第二側面部１２の下端に連結された底面部３０の自由端側の第一底面部３１の中央部に、第一側面部１１の下端に連結された糊代部１４を貼付することで筒状体の下方の開口部は底面部３０によって塞がれる。第一側面部１１と糊代部１４との境界にはシート材２を断続的に貫通する切断線１１ｃが形成されており、糊代部１４の折り曲げを容易にしている。底面部３０の詳細については後述する。
【００１９】
筒状体を形成し、下方の開口部を底面部３０で塞いだ状態で、筒状体内に被包装物を収容し、上方の開口部を塞ぐ。本発明においては、係る開口部を塞ぐ蓋面部として、第一蓋面部２１と第二蓋面部２２とを有しており、これらを重ねて開口部を塞ぐ。第一蓋面部２１は、折り返し部４１を介して第一側面部１１に連結されており、係る折り返し部４１を第一側面部１１の上端から下方に折り返して突出部１１ｂに重ねた上で、第一蓋面部２１で開口部を塞ぐ。
【００２０】
本発明においては、折り返し部４１の高さを突出部１１ｂの高さと等しくすることにより、折り返し部４１と第一蓋面部２１との連結箇所が、第二側面部１２の上端であって、第二側面部１２と第二蓋面部２２との連結箇所と同じ高さになり、第一蓋面部２１と第二蓋面部２２とを隙間なく重ねることが可能となり、好ましい。しかしながら、本発明においては係る構成に限定されるものではなく、折り返し部４１の高さを突出部１１ｂの高さよりも若干高くし、折り返し部４１と第一蓋面部２１との連結箇所が、第二側面部１２の上端よりも１〜２ｍｍ程度低い位置になるように構成しても構わない。この場合、第一蓋面部２１の第一側面部１１側が１〜２ｍｍ程度筒状体内に押し込まれ、第一蓋面部２１の外周と筒状体の内面との接触により、第一蓋面部２１が開きにくくなるという作用が得られる。また、折り返し部４１の高さを突出部１１ｂの高さより１〜２ｍｍ程度低くし、折り返し部４１と第一蓋面部２１との連結箇所が、第二側面部１２の上端よりも高い位置になるように構成しても構わない。この場合、第一蓋面部２１が傾斜して、正面から見えやすい外観となる。尚、この場合でも、爪部２１ａ，２１ｂと凸部１２ａ，１２ｂの接触により、第一蓋面部２１が開きにくくなる作用が得られる。
【００２１】
図３は、図２の状態から折り返し部４１を下方に折り返して、第一蓋面部２１で筒状体の上方の開口部を塞いだ状態を示す斜視図である。係る状態を上方から見た平面図を図５（ａ）に示す。
【００２２】
本発明において、第一蓋面部２１は、筒状体の上方の開口部をほぼ塞ぐ形状に形成されており、さらに、第一蓋面部２１の自由端側（折り返し部４１との連結箇所とは反対側）の両端部近傍に、該自由端より突出する爪部２１ａ，２１ｂが形成されている。一方、第二側面部１２の上端の両端部には該上端から上方に突出する凸部１２ａ，１２ｂが形成されており、第二蓋面部２２は、該凸部１２ａ、１２ｂから所定の間隔を置いた中央部において第二側面部１２の上端に連結されている。
【００２３】
図３、図５（ａ）に示すように、第一蓋面部２１で筒状体を覆った際、第一蓋面部２１の自由端の中央部は第二側面部１２と第二蓋面部２２との連結箇所に突き当たるが、爪部２１ａ、２１ｂは第二側面部１２と第二蓋面部２２との連結箇所と凸部１２ａ、１２ｂとの間において、該凸部１２ａ，１２ｂに接して、第二側面部１２の上端より外側に向かって突出する。爪部２１ａ，２１ｂが凸部１２ａ，１２ｂに接していることから、その接触による摩擦力によって、互いに係止し、第一蓋面部２１を抑えていなくても、自然に第一蓋面部２１が開くことはない。
【００２４】
また、爪部２１ａ，２１ｂがない場合には、第一側面部１１と第二側面部１２との２箇所の連結箇所を互いに近づける方向に応力がかかると、第一蓋面部２１は自由端側が上方に浮き上がって容易に開いてしまうが、爪部２１ａ，２１ｂがある場合には、爪部２１ａ，２１ｂを凸部１２ａ，１２ｂが押圧することになり、摩擦力によって第一蓋面部２１は容易には開かない。
【００２５】
よって、第一蓋面部２１を閉じた後に手を放しても第一蓋面部２１が開くことがなく、第二蓋面部２２を閉じる際に第一蓋面部２１を抑えておく必要がなく、包装作業が容易になる。
【００２６】
本実施形態においては、筒状体が第一側面部１１と第二側面部１２とを側端同士で連結して構成されており、水平方向断面において、第一側面部１１及び第二側面部１２はそれぞれ中央部が外側に向かって凸の湾曲形状である。よって、第一側面部１１と第二側面部１２とが対向する方向において、第一側面部１１と第二側面部１２との距離が最大となる位置（図５（ｂ）においては紙面左右方向の中央部）における第二側面部１２の位置（図５（ｂ）中の破線で示す位置）よりも、爪部２１ａ，２１ｂの先端が、第一側面部１１側に位置するように、爪部２１ａ，２１ｂの第一蓋面部２１の自由端から突出する高さや形状を調整することにより、複数の包装箱を前後に並べて陳列した際に、爪部２１ａ，２１ｂが他の包装箱に接触して傷つけるおそれがない。
【００２７】
尚、本実施形態においては、爪部は第一蓋面部２１の自由端側に２箇所形成されているが、本発明においては、いずれか一方のみでも第一蓋面部２１が開きにくくなる作用を得ることができる。その場合、第二側面部１２の上端の凸部は係る爪部に接触する側の凸部のみ形成すればよい。好ましくは、本実施形態の如く、２箇所の爪部２１ａ，２１ｂと、これに対応する２箇所の凸部１２ａ，１２ｂを設ける構成である。
【００２８】
また、本実施形態においては、第一側面部１１の突出部１１ｂに貫通孔１１ａが、折り返し部４１に貫通孔４１ａが、それぞれ形成されており、折り返し部４１を下方に折り返した際には、貫通孔４１ａと貫通孔１１ａとが互いに重なって、陳列用のフックを通す孔部となる。
【００２９】
さらに、図４は、図３の状態から、第二蓋面部２２を閉じた状態を示す斜視図であり、係る状態を上方から見た平面図を図５（ｂ）に示す。
【００３０】
本発明においては、第二蓋面部２２の自由端側（第二側面部１２との連結箇所とは反対側）に差し込み片２２ａを有し、第一蓋面部２１と折り返し部４１との境界には、係る差し込み片２２ａを差し込むための差し込み部２１ｃが形成されている。本実施形態においては、差し込み部２１ｃを、第一蓋面部２１側に凸のハット状の切断部としており、ハットのつばに相当する部位において折り曲げることから、第一蓋面部２１を閉じた状態では、図５（ａ）に示すように、該差し込み部２１ｃが開いて折り返し部４１との間に開口部が形成されており、差し込み片２２ａを容易に差し込むことができる。尚、本実施形態では、差し込み片２２ａの側辺をそれぞれ外側に突出する略くの字型とし、両側辺間の最大距離が、差し込み部２１ｃの凸部分の水平方向の長さより若干長くなるように形成することで、差し込み部２１ｃに差し込んだ差し込み片２２ａが差し込み部２１ｃの凸部分の両側に係止して、抜けにくい構成となっている。
【００３１】
よって、本発明においては、一旦閉じた第一蓋面部２１が開きにくく、無理に開けると差し込み片２２ａが変形、或いはちぎれてしまうため、元の包装状態に戻すことができない。
【００３２】
さらに、本発明においては、被包装物を取り出す際に開封しやすいように、第二側面部１２の凸部を設けた側の側端に切り取り線を形成しておくことが好ましい。本実施形態においては、凸部１２ｂ側の側端に切り取り線１２ｄが形成されている。係る構成により、切り取り線１２ｄを形成した側の凸部１２ｂをつまみとして指でつまんで引っ張れば、該切り取り線１２ｄに沿って容易にシート材を切り開き、筒状体を開封することができる。
【００３３】
また、本実施形態においては、第二側面部１２と糊代部１３との境界に、切り取り線１２ｄを形成しており、該糊代部１３の上端は、凸部１２ｂよりも低い位置に設定している。そのため、凸部１２ｂは、切り取り線１２ｄよりも上方に突出しているため、指でつまみやすく、引っ張りやすい構成となっている。
【００３４】
本実施形態において、切り取り線を図１の凸部１２ａ側の第一側面部１１と第二側面部１２との境界側に設けた場合には、凸部１２ａを指でつまみやすいように、凸部１２ａと第一側面部１１との境界を、第二側面部１２の上端（第二蓋面部２２と第二側面部１２との連結箇所）と等しい高さにまで切断しておくことが好ましい。
【００３５】
さらに、本実施形態においては、切り取り線１２ｄに加えて、第二側面部１２と第二蓋面部２２との境界と、第二側面部１２と底面部３０との境界と、にそれぞれ、切り取り線１２ｃ、１２ｅを形成しておくことにより、切り取り線１２ｄに引き続いてこれら切り取り線１２ｃ、１２ｅに沿ってシート材を切り開いて、包装体を容易に開封し、被包装物を取り出すことができる。尚、本実施形態において、切り取り線１２ｃ，１２ｄ，１２ｅは、断続的にシート材を切断した切断線であり、略くの字型又は略Ｙの字型の一辺が所定の間隙を介して直線状に並ぶ構成としているが、係る形状に限定されるものではない。また、切り取り線１２ｃ，１２ｄ，１２ｅは、シート材の切り裂きが容易になる形態であれば断続的にシート材を切断した形態に限定されず、ミシン目やハーフカットでも良い。
【００３６】
本実施形態の如く、切り取り線１２ｃ，１２ｄ，１２ｅを設けることで、第一側面部１１及び第二側面部１２を損傷することなく、開封することができるため、筒状体の内面側に被包装物に関する説明などを印刷表示を施しておき、説明書の収容を省略することが可能である。
【００３７】
次に、本実施形態の包装箱の底面部３０の形態について図１、図６、図７を用いて説明する。図６（ａ）は、図１の包装体の筒状体の下方の開口部を塞ぐ底面部３０の斜視図、図６（ｂ）は被包装物５１を収容した状態での底面部３０の斜視図であり、便宜上、いずれも底面部３０以外の部材の図示を省略する。また、図７（ａ）は、図６（ａ）中のＡ−Ａ’部分、図７（ｂ）は図６（ｂ）中のＢ−Ｂ’部分、にそれぞれ相当する包装箱の下端側の垂直方向の部分断面模式図である。
【００３８】
本実施形態の包装箱は、被包装物の形状が、マスカラやリップクリーム、口紅などの、円柱状、楕円柱状、或いは多角柱状の場合に対応した包装箱である。本実施形態においては、図１、図７に示すように、底面部３０は、筒状体の開口部を塞いだ状態で第一側面部１１側に位置する第一底面部３１と、第二側面部１２側に位置する第二底面部３２とを有し、第一底面部３１は下端が第一側面部１１の下端に連結され、第二底面部３２の下端は第二側面部１２の下端に連結されている。そして、第一底面部３１の上端と第二底面部３２の上端とが互いに連結されており、図７（ａ）に示すように、第一側面部１１と第二側面部１２とが対向する方向における垂直方向断面において、略逆Ｖ字型を呈している。
【００３９】
また、図１において、底面部３０中の破線は折り曲げ線であり、係る折り曲げ線の一部には、折り曲げが容易になるように、シート材を貫通する切断線３４が形成されている。また、第二側面部１２と第二底面部３２との境界には切り取り線１２ｅが形成されていることから、係る境界における折り曲げが容易になっている。
【００４０】
さらに、底面部３０は、図１に示すように、第一底面部３１及び第二底面部３２にわたる貫通孔３３を有している。図１、図６（ａ）に示すように、係る貫通孔３３の第一底面部３１側の外周３３ａは、第一底面部３１の上端（第一底面部３１と第二底面部３２との境界）に両端を接する弧状である。
【００４１】
また、図１、図６（ａ）に示すように、貫通孔３３の第二底面部３２側は、両側辺３３ｂ、３３ｂ間の距離が下方に向かって幅が狭くなるテーパー状で、下端側の外周３３ｃが、被包装物の底面に対応した形状を有している。また、両側辺３３ｂ、３３ｂの最下端における両側辺３３ｂ、３３ｂ間の距離は、被包装物の底部の水平方向の最大幅よりも広くなっている。
【００４２】
上記のような形態の貫通孔３３を底面部３０の中央部に有していることにより、本実施形態の包装箱に円柱状の被包装物５１を収容すると、被包装物５１はテーパー状の側辺３３ｂ、３３ｂに沿って緩挿され、図６（ｂ）、図７（ｂ）に示すように、被包装物５１の底部が、貫通孔３３の第二底面部３２側の下端側の外周３３ｃに載る。また、貫通孔３３の第一底面部３１側の外周３３ａは中央部が被包装物５１の側面に接する。本実施形態の包装箱において、第一側面部１１と第二側面部１２とは湾曲しているため、平板状に戻ろうとする復元力によって、互いに近づく方向に応力が働く。即ち、第一底面部３１と第二側面部１２とが被包装物５１に圧接して被包装物５１を保持する。さらに、被包装物５１の下端は貫通孔３３の第二底面部３２側に緩挿されているため、被包装物５１は、第一側面部１１及び第二側面部１２の側端方向への移動が制限される。よって、被包装物５１の包装箱内での移動が防止される。また、包装箱を開封した際には、被包装物５１の下端側が保持されていることで、包装箱から飛び出すおそれがなくなる。
【００４３】
尚、被包装物５１を収容する領域の高さ、即ち、本実施形態においては、貫通孔３３の第二底面部３２側の外周３３ｃから第一蓋面部２１の裏面までの高さが、被包装物５１の高さ以上となるように設定されるが、本実施形態においては、被包装物５１の上端と第一蓋面部２１との間に間隙が有っても、被包装物５１の下端が保持されているために、被包装物５１が包装箱内で移動するのが防止される。
【００４４】
本実施形態において、貫通孔３３の第一底面部３１側の外周３３ａは円弧状であるが、楕円弧状でも良い。また、本実施形態では、被包装物５１の底面が平面状であることから、貫通孔３３の第二底面部３２側の下端側の外周３３ｃを直線状としており、貫通孔３３の第二底面部３２側の形状を、上底が下底よりも長い等脚台形としているが、本実施形態においては、係る形状に限定されるものではない。被包装物５１の底面が外側に凸の曲面を有する場合には、外周３３ｃを、係る曲面の曲率半径以上の曲率半径を有する円弧状又は楕円弧状とすればよい。
【００４５】
尚、図６に示す実施形態においては、両側辺３３ｂ、３３ｂの最下端における両側辺３３ｂ、３３ｂ間の距離は、両側辺３３ｂ、３３ｂ間の最小距離であって、下端側の外周３３ｃの長さであるが、該距離は、被包装物５１の移動を防止する上で、被包装物５１の底部の幅に等しいか、若干長い程度とすることが好ましい。
【００４６】
尚、本発明において、底面部３０は、上記実施形態に限定されるものではなく、筒状体の下方の開口部を適宜塞ぎ、容易に開封しにくい形態であれば、いずれの形態も適用することができる。
【符号の説明】
【００４７】
１１：第一側面部、１１ａ：貫通孔、１１ｂ：突出部、１１ｃ：切断線、１２：第二側面部、１２ａ，１２ｂ：凸部、１２ｃ〜１２ｅ：切り取り線、１３，１４：糊代部、２１：第一蓋面部、２１ａ，２１ｂ：爪部、２１ｃ：差し込み部、２２：第二蓋面部、２２ａ：差し込み片、３０：底面部、３１：第一底面部、３２：第二底面部、３３：貫通孔、３３ａ，３３ｂ，３３ｃ：貫通孔の外周、３４：切断線、４１：折り返し部、４１ａ：貫通孔、５１：被包装物
【図１】
2020179905.tif 000003
【図２】
2020179905.tif 000004
【図３】
2020179905.tif 000005
【図４】
2020179905.tif 000006
【図５】
2020179905.tif 000007
【図６】
2020179905.tif 000008
【図７】
2020179905.tif 000009